(57)【要約】【課題】従来のコネクタは、ケーブルをつぶすことによりハウジング内に固定するので、つぶれにより伝送特性が悪くなるものに対しては、適用出来なかった。【解決手段】第１に、プラグハウジングの開口部の内側両サイドに係合溝を夫々設け、凹の字形状部と中間連結部とかしめ部からなるケーブルかしめ具の凹の字形状部を先端側にして、前記プラグハウジングの開口部の内側両サイドに設けた係合溝に挿入して係合したケーブルかしめ具付きコネクタで、第２に、第１において、プラグハウジングとケーブルかしめ具が１個ないし複数個の係止手段で係止されているケーブルかしめ具付きコネクタで、第３に、プラグハウジング側で結線するための端子部及びケーブルかしめ具のかしめ部の両方の箇所で、結線とかしめを同時に一括してケーブルに行うコネクタ付きケーブルで、ケーブルのつぶれがなくなり高速伝送ケーブルに最適である。【選択図】図１
2005100871.tif 000002
【特許請求の範囲】
【請求項１】
プラグハウジングの開口部の内側両サイドに係合溝をそれぞれ設け、凹の字形状部と中間連結部とかしめ部からなるケーブルかしめ具の凹の字形状部を先端側にして、前記プラグハウジングの開口部の内側両サイドに設けた係合溝に挿入して係合したことを特徴とするケーブルかしめ具付きコネクタ。
【請求項２】
請求項１において、プラグハウジングとケーブルかしめ具が１個ないし複数個の係止手段で係止されていることを特徴とするケーブルかしめ具付きコネクタ。
【請求項３】
コネクタ付きケーブルにおいて、プラグハウジング側で結線するための端子部及びケーブルかしめ具のかしめ部の両方の箇所で、結線とかしめを同時に一括してケーブルに行うことを特徴とするコネクタ付きケーブル。
【発明の詳細な説明】
【技術分野】
【０００１】
本発明は、ケーブルをかしめる際に、伝送特性に悪影響を及ぼすケーブルのつぶれをなくすことができ、カテゴリ６や発泡電線等の高速伝送ケーブルに最適であるばかりでなく、ケーブル外径の適用範囲も広くなるケーブルかしめ具付きコネクタ及びコネクタ付きケーブルである。
【背景技術】
【０００２】
従来のコネクタとしては、通常の圧接コネクタがあるが、ここでは代表的なモジュラプラグコネクタ１′で説明する。従来のモジュラプラグコネクタ１′は、図２に示すように、先端側にケーブルと結線するための端子部４′と中間部にハウジングと一体化され、押し込むことによってケーブルに食い込み、ケーブルをつぶしてハウジング内に固定する為の係留部材１５′と後端側に開口部５′を有するプラグハウジング３′からなる構造であった。
【０００３】
【特許文献１】特公昭５５−２０６８号公報
【発明の開示】
【発明が解決しようとする課題】
【０００４】
このように,、従来のモジュラプラグコネクタ１′は、図２から明らかなように、係留部材１５′が丸状ケーブルに食い込み、ケーブルをつぶすことにより、ハウジング内に固定される。従って、ケーブルをつぶすことにより伝送特性が悪くなってしまうものに対しては、適用が出来なかった。具体的には、十字状介在物等が入ったケーブルや発泡電線に適用することは不可能であった。それだけでなく、つぶすことにより、絶縁心線間のショートが生じることもあった。また、プラグハウジング開口部よりも小さいケーブルしか適用できないという問題点もあった。
【課題を解決するための手段】
【０００５】
本発明は、これらの問題を解決する為に、鋭意検討した結果、
第１に、プラグハウジングの開口部の内側両サイドに係合溝をそれぞれ設け、凹の字形状部と中間連結部とかしめ部からなるケーブルかしめ具の凹の字形状部を先端側にして、前記プラグハウジングの開口部の内側両サイドに設けた係合溝に挿入して係合したケーブルかしめ具付きコネクタで、
第２に、第１において、プラグハウジングとケーブルかしめ具が１個ないし複数個の係止手段で係止されているケーブルかしめ具付きコネクタで、
第３に、コネクタ付きケーブルにおいて、プラグハウジング側で結線するための端子部及びケーブルかしめ具のかしめ部の両方の箇所で、結線とかしめを同時に一括してケーブルに行うコネクタ付きケーブルである。
【発明の効果】
【０００６】
以上の説明の様に、本発明によれば、
１．ケーブルをかしめる際に、丸状ケーブルをつぶすことなく、均一に丸くかしめることができるので、カテゴリ６ケーブルや発泡電線等の高速伝送ケーブルに最適である。
２．プラグハウジング開口部よりも大きいケーブルにも適用でき、ケーブル外径の適用範囲が広くなる。
３．絶縁心線間のショートを防止することが可能になる。
４．工具を使うことにより、結線とかしめを同時に一括して行うことが可能になる。
【発明を実施するための最良の形態】
【０００７】
本発明のケーブルかしめ具付きモジュラプラグコネクタ１及びモジュラプラグコネクタ付きケーブル２について具体的に説明する。
【実施例１】
【０００８】
始めに、図１（イ）は、本発明の第１実施例であるケーブルかしめ具付きモジュラプラグコネクタ１の斜視図並びにケーブルかしめ具１０の展開図である。展開図から明らかなように、ケーブルかしめ具１０は、ケーブル１４をかしめる為のかしめ部１３と中間連結部１２と凹の字形状部１１からなり、凹の字形状部１１の両サイドには、係止ばね９がそれぞれ設けられている。第１番目としては、プラグハウジング３の開口部５の内側両サイドに係合溝７をそれぞれ設け、凹の字形状部１１と中間連結部１２とかしめ部１３からなるケーブルかしめ具１０の凹の字形状部１１を先端側にして、前記プラグハウジング３の開口部５の内側両サイドに設けた係合溝７に挿入して係合したケーブルかしめ具付きモジュラプラグコネクタ１である。この場合、ケーブルかしめ具１０は、通常使用される金属製のかしめ金具を使用したが、これに限るものではない。また、ケーブルかしめ具１０の中間連結部１２は、プラグハウジング３との兼ね合いで、中間連結部１２をなくして、かしめ部１３と凹の字形状部１１を直接結合させた構造でも構わない。ケーブルが細い場合には、かしめ部の凸凹の切り込み度合いを変えたり、かしめの材質を硬くすることによって対応が可能になる。
次に、第２番目としては、第１番目において、プラグハウジングの内側両サイドに設けた係止手段としての係止ばね受け溝８が、ケーブルかしめ具１０に設けた係止手段としての係止ばね９に係止するケーブルかしめ付きモジュラプラグコネクタ１である。ここで、係止手段としては、ケーブルかしめ具１０に設けた係止バネ９とプラグハウジング３に設けた係止ばね受け溝８で係止する場合を代表例に挙げたが、ケーブルかしめ具１０に係止ばね９を設けず、プラグハウジング３の開口部５付近を加工して、突起部を設け、左右にスライドさせケーブルかしめ具１０が出てこないように係止させる方法等でも構わない。要は、ケーブルかしめ具１０が係止されれば良く、必ずしも両方に係止手段を設けなくても構わない。
更に、図１（ロ）は、本発明の第２実施例であるモジュラプラグコネクタ付きケーブル２の断面図である。ここで、結線とかしめをする前に、端子部においては端子を半圧入の状態にすると同時にかしめ部は、かしめ前のＵの字状態にしておく。結線とかしめが行われると、端子部が更に下側に押されて絶縁心線に導通し、結線されると同時にかしめ部においてもケーブルがかしめられて保持される。図に示すように、本発明のモジュラプラグコネクタ付きケーブル２は、プラグハウジング側で結線するための端子部及びケーブルかしめ具のかしめ部の両方の箇所で、結線とかしめを同時に一括してケーブルに行うことができる。
【０００９】
以上のような構造であるので、本発明は、結線とかしめを同時に一括して行うことが可能になる。
【００１０】
今迄、代表的な例として、モジュラプラグコネクタを代表例にして説明したが、通常の圧接コネクタ等にも応用することが可能である。また、ケーブルかしめ具１０について、かしめ部をＵの字状態にして説明したが、丸状でも構わない。また、代表的なかしめ部１３の形状を図示したが、これに限らず、設計変更に伴う多少の変形例でも一向に構わず、本発明の範囲内であることはいうまでもない。
【産業上の利用可能性】
【００１１】
モジュラプラグコネクタ以外の通常の圧接コネクタ等幅広い応用が可能になる。
【図面の簡単な説明】
【００１２】
【図１】（イ）本発明の第１実施例であるケーブルかしめ具付きモジュラプラグコネクタ１の斜視図並びにケーブルかしめ具１０の展開図である。    （ロ）本発明の第２実施例であるモジュラプラグコネクタ付きケーブル２の断面図である。
【図２】従来のモジュラプラグコネクタ１′の斜視図である。
【符号の説明】
【００１３】
１      本発明のケーブルかしめ具付きモジュラプラグコネクタ
２      本発明のモジュラプラグコネクタ付きケーブル
３      プラグハウジング
４      端子部
５      開口部
６      レバー
７      係合溝
８      係止ばね受け溝
９      係止ばね
10      ケーブルかしめ具
11      凹の字形状部
12      中間連結部
13      かしめ部
14      ケーブル
１′    従来のモジュラプラグコネクタ
３′    プラグハウジング
４′    端子部
５′    開口部
６′    プラグレバー
15′    係留部材
【図１】
2005100871.tif 000003
【図２】
2005100871.tif 000004